【事件の表示】
　特願２００１−１２４９６８「メッセージ発生装置」拒絶査定不服審判事件〔平成１４年１０月３１日出願公開、特開２００２−３１８５９１〕について、次のとおり審決する。
【結　論】
　本件審判の請求は、成り立たない。
【理　由】
１　本願発明
　本願は、平成１３年４月２３日の出願であって、本願の請求項１に係る発明（以下、「本願発明」という）は、平成１５年９月１６日付け、平成１８年３月２０日付け手続補正書により補正された明細書および図面の記載からみて、特許請求の範囲の請求項１に記載された次のとおりのものと認める。
「透光性材料からなるケースと、このケース内に収容されたメッセージ発生回路とを備え、
　前記メッセージ発生回路は、音声メッセージを記憶している音声生成手段と、
　この音声生成手段からの音声信号を再生するスピーカーと、
　前記ケース外部の光を受ける受光素子と、この受光素子が受ける光量が所定の値以上のときに動作して、前記音声生成手段からの音声信号を前記スピーカーに供給して音声を発生させるスイッチング回路手段と、
　前記メッセージ発生回路の電源となる電池
と、
　第１の状態では前記受光素子による前記スイッチング回路手段をＯＮさせ、第２の状態では電源をＯＦＦの状態にし、第３の状態では前記スピーカーをマイクロフォンとして使う状態にする３極スイッチと、
　前記スイッチング回路手段は、前記受光素子に入射する外来光の光量が所定の閾値以下の場合にはオフ状態を維持し、前記閾値以上になったときにオン状態になるように構成され、
　前記メッセージ発生手段は、前記スピーカーに入力された音声信号を記録する機能を有し、前記スイッチング回路により、前記スピーカーから音声メッセージを発生するメッセージ発生動作と、前記スピーカーからの音声を前記音声生成手段に記録するメッセージ記録動作とを切り替えるように構成されていることを特徴とするメッセージ発生装置。」
　
２　引用例
（１）当審において提示された登録実用新案第３０５１４２４号公報（以下、「引用例１」という）は、「録音・再生機能を備えた額縁収納陶板」に係るものであって、図面とともに以下の記載が認められる。
ア．「額縁入り陶板とともに祝詞、弔辞などのメッセージを音声で贈りうる額縁入り陶板に関する。」（段落【０００１】）
イ．「裏板２には、音声の録音・再生装置３０が組み込まれている。この音声の録音・再生装置３０は、録音・再生モード選択回路３１、シーケンサー３２、録音・再生制御回路３３、記憶回路３４および増幅器３５とからなる回路基板３６と、電源３７、手動電源スイッチ３８、光スイッチ３９、録音・再生切り替えスイッチ４０、マイクロフォン４１およびスピーカー４２とからなっている。」（段落【００１１】）
ウ．「次に、音声の録音・再生装置について説明する。手動電源スイッチ３８を接点ａに接続し、録音・再生切り替えスイッチ３４をｏｎにしてメッセージを録音する。切り替えスイッチ４０をｏｎにすると録音・再生選択回路３１から録音指令が出され、シーケンサー３２がスタート信号を発し、録音・再生制御回路３３でマイクロフォン４１が拾った音声波をアナログ／ディジタル変換（Ａ／Ｄ変換）され、記憶回路３４に記憶される。
録音が終了すると手動電源スイッチ３８を接点ｂに切り替える。このとき光スイッチ３９は接点ｂに位置しており、光センサーが受光しても接点ａに切り替わらないように、図示しないコンデンサータイマーが挿入されているので、額縁１１をケース１３に収納する間に録音が再生されることはない。」（段落【００１６】ないし【００１７】）
エ．「この状態で録音・再生額縁収納陶板を上述のケース１３に納めて発送する。録音・再生額縁収納陶板を受け取った方では、梱包を解きケース１３から録音・再生額縁収納陶板取り出すと、光スイッチ３９が受光し図示しないコンデンサータイマーの作動後に録音されたメッセージが再生されてプレゼンターの声でメッセージとともに記念品が届けられる。
録音・再生切り替えスイッチ４０をｏｆｆ状態で光スイッチ３９または、手動電源スイッチ３８をｏｎにすると録音・再生モード選択回路３１から再生指令が出され、シーケンサー３２がスタート信号を発すると、録音・再生制御回路３３が、記憶回路３４に書き込まれた録音情報を呼び戻しディジタル／アナログ変換（Ｄ／Ａ変換）され増幅器３５を経てスピーカー４２から声のメッセージが再生される。記憶回路の能力に相当する時間が経過するとシーケンサー３２からストップ信号が出され再生は終了し、続いて出されるリセット信号によって初期状態に復帰する。なお、額縁１１をケース１３から取り出した後は、図示しない光センサーのロック機構により不必要な再生が繰り返されないようになっている。」（段落【００１８】ないし【００１９】）
オ．「以上説明した如くこの考案によれば、（中略）贈呈に際しては、贈り主の声でメッセージを届けることができ、感情を直に伝えることができる。」（段落【００２０】）
カ．図６（ａ）（ｂ）によれば、音声の録音・再生装置３０はケース内に収容されていることが見て取れる。
　
３　対比・判断
（１）本願発明と引用例１に記載された発明（以下、「引用例発明」という）とを対比すると、
　上記ア、イ、カによれば、ケース内に収容された音声の録音・再生装置（本願発明の「メッセージ発生回路」に相当）を裏板に組み込んだ額縁入り陶板は、本願発明の「メッセージ発生装置」に相当するものといえる。
　また、上記ウ、エによれば、引用例発明の音声の録音・再生装置は、マイクロフォン４１が拾った音声波を記憶回路３４に記憶するものであり、記憶回路３４に書き込まれた録音情報を呼び戻し増幅器３５を経てスピーカー４２から声のメッセージが再生されるものであり、光センサー（本願発明の「受光素子」に相当）が受光し、コンデンサータイマーが作動して光スイッチ（本願発明の「スイッチング回路手段」に相当）が接点ａに切り替わって録音されたメッセージが再生されるようになっているものであって、これは、光センサー（受光素子）が受ける光量が所定値以上であるかについて明確な記載はないものの、受光素子（光センサー）の受ける光量によりスイッチング回路手段（光スイッチ）が動作する点では本願発明と一致しているといえる。そして、上記イによれば、引用例発明も、電池かは明確でないものの電源を有している。してみると、本願発明と引用例発明とは、「前記メッセージ発生回路は、音声メッセージを記憶している音声生成手段と、この音声生成手段からの音声信号を再生するスピーカーと、前記ケース外部の光を受ける受光素子と、この受光素子が受ける光量により動作して、前記音声生成手段からの音声信号を前記スピーカーに供給して音声を発生させるスイッチング回路手段と、前記メッセージ発生回路の電源と、を備え」ている点で一致しているといえる。
　そして、上記ウ、エによれば、引用例発明の音声の録音・再生装置は、切り替えスイッチ４０をｏｎにすると録音・再生選択回路３１から録音指令が出され、録音・再生切り替えスイッチ４０をｏｆｆ状態で光スイッチ３９または、手動電源スイッチ３８をｏｎにすると録音・再生モード選択回路３１から再生指令が出されるものであり、メッセージ発生動作とメッセージ記録（記憶）動作を切り替えるものであり、音声の入力が、本願発明では「スピーカー」にであり、引用例発明では「マイクロフォン」にであるものの、いずれも「音声入力手段」といえるので、本願発明と引用例発明とは、「前記メッセージ発生手段は、音声入力手段に入力された音声信号を記録する機能を有し、前記スイッチング回路により、前記スピーカーから音声メッセージを発生するメッセージ発生動作と、前記スピーカーからの音声を前記音声生成手段に記録するメッセージ記録動作とを切り替えるように構成されている」点で一致しているといえる。
（２）してみると両者は、
「ケースと、このケース内に収容されたメッセージ発生回路とを備え、前記メッセージ発生回路は、音声メッセージを記憶している音声生成手段と、この音声生成手段からの音声信号を再生するスピーカーと、前記ケース外部の光を受ける受光素子と、この受光素子が受ける光量により動作して、前記音声生成手段からの音声信号を前記スピーカーに供給して音声を発生させるスイッチング回路手段と、前記メッセージ発生回路の電源と、を備え、前記メッセージ発生手段は、音声入力手段に入力された音声信号を記録する機能を有し、前記スイッチング回路により、前記スピーカーから音声メッセージを発生するメッセージ発生動作と、前記スピーカーからの音声を前記音声生成手段に記録するメッセージ記録動作とを切り替えるように構成されていることを特徴とするメッセージ発生装置。」で一致し、以下の点で相違している。
［相違点１］本願発明のケースは、透光性材料からなるものであるのに対し、引用例発明のケースが透光性か明確でない点、
［相違点２］電源が、本願発明は「電池」であるのに対し、引用例発明は明確でない点、
［相違点３］受光素子が受ける光量により動作するスイッチング回路手段について、本願発明は、光量が所定の値以上のときに動作して、前記受光素子に入射する外来光の光量が所定の閾値以下の場合にはオフ状態を維持し、前記閾値以上になったときにオン状態になるように構成されるものであるところ、引用例発明は、光センサー（受光素子）に光を受けコンデンサータイマーが作動して光スイッチが切り替わるものである点、
［相違点４］音声入力手段が、本願発明が「スピーカー」であるのに対し、引用例発明は「マイクロフォン」である点、
［相違点５］本願発明が、「第１の状態では前記受光素子による前記スイッチング回路手段をＯＮさせ、第２の状態では電源をＯＦＦの状態にし、第３の状態では前記スピーカーをマイクロフォンとして使う状態にする３極スイッチと、を備え」ているのに対し、引用例発明は、手動電源スイッチ、録音・再生切り替えスイッチを備えており、スピーカーとは別にマイクロフォンを備えている点。
　
（３）判断
　相違点１について
　引用例発明のものは、ケース１３から取り出すと、受光素子である光センサーが受光し録音されたメッセージが再生されるものであり、光センサー（受光素子）が受光可能な構造を示唆しているのであるから、受光可能な構造として常套の透光性のケースを採用することは当業者が適宜なしうる程度のことといえる。
　相違点２について
　電源を電池とするのは常套であり適宜なしうる程度のことといえる。
　相違点３について
　技術常識を勘案すれば、引用例発明のものは、タイマーが作動するに足る程度の光量を光センサー（受光素子）が受け、それによってコンデンサータイマーが作動して光スイッチが接点ａに切り替わって再生されると解され、また、光量が所定値以上で動作するようにすることも常套であり、相違点３のごとき動作をするものとして、例えば、特開平２−２５３６６５号公報にあるようなシュミット回路あるいはヒステリシス回路は常套のものでありその採用については当業者が適宜なしうる程度のことといえるから、光量が所定の値以上のときに動作して、前記受光素子に入射する外来光の光量が所定の閾値以下の場合にはオフ状態を維持し、前記閾値以上になったときにオン状態になるように構成することは、当業者が容易に推考しうる程度のものといえる。
　相違点４、５について
　例えば、実願昭６３−４２０４８号（実開平１−１４５４７６号）のマイクロフィルムにあるように、録音、再生を３連スイッチで切り替える点、及び、スピーカーとマイクロフォンとを兼用して、録音時にはマイクロフォンとして機能させ、再生時にはスピーカーとして機能させるようにすることは常套技術であるところ、本願発明の、受光素子による前記スイッチング回路手段をＯＮさせる状態は再生が選択された状態であり、前記スピーカーをマイクロフォンとして使う状態は録音が選択された状態であり、電源をＯＦＦ状態にすることは本願第４図の如く単にスイッチの結線を行わないことあるいはそれを含むものであって適宜なし得ることといえるから、引用例発明の手動電源スイッチ、録音・再生切り替えスイッチ、マイクロホンに換えて上記常套技術を採用して、音声入力手段をスピーカーとし、第１の状態では前記受光素子による前記スイッチング回路手段をＯＮさせ、第２の状態では電源をＯＦＦの状態にし、第３の状態では前記スピーカーをマイクロフォンとして使う状態にする３極スイッチと、を備えるようにすることは当業者にとって容易に推考しうる程度のものといえる。
　
　そして、これら相違点を総合的に考慮しても当業者が推考し難い格別のものであるとすることはできず、また本願発明の効果についてみても、上記構成の採用に伴って当然に予測される程度のものにすぎず、格別顕著なものがあるともいえない。
　
４　むすび
　したがって、本願発明は、引用例発明及び常套技術に基いて当業者が容易に発明をすることができたものであるので、特許法第２９条第２項の規定により、本願は、特許を受けることができない。
　よって、結論のとおり審決する。